(57)【要約】      （修正有）【課題】冷水と熱水を混ぜ合わせて温度調整ができるとともに、センサー排水と手動排水の切換えが可能な蛇口を提供する。【解決手段】蛇口と、制御器と、スプリット水制御バルブとからなる。蛇口の一側は弁溝を形成し、弁溝の底部には、センサー水排出孔、手動水排出孔、二つの冷、熱水進入孔が下向きに穿設され、手動水排出孔は、合流孔に連結され、蛇口上端には合流孔と連結される水排出管が結合される。制御器は、センサー導水管を介してセンサー水排出孔と合流孔に連結され、センサー導水管と合流孔の間には逆止弁が結合される。スプリット水制御バルブの下端底蓋には、冷、熱水孔、及び、第一水排出孔と第二水排出孔が設けられ、その冷、熱水進入孔は弁溝の冷、熱水進入孔に対応し、第一水排出孔は、センサー水排出孔に対応し、第二水排出孔は手動水排出孔に対応し、弁溝内に嵌め込まれる。【選択図】図１
0003173805.tif 000002
【実用新案登録請求の範囲】
【請求項１】
蛇口と、制御器と、スプリット水制御バルブとからなるセンサー排水と手動排水の切換え可能な混合水排出蛇口であって、
蛇口の一側には弁溝が設けられ、弁溝の底部には、センサー水排出孔と、手動水排出孔と、二つの冷、熱水進入孔とが下向きに穿設され、手動水排出孔は、縦向きの合流孔に三叉を形成するように連結され、蛇口上端には、合流孔と連結される水排出管が結合され、
制御器は、センサー導水管を介して蛇口センサー水排出孔に連結されるとともに、センサー導水管を介して蛇口に接続される合流孔に連結され、センサー導水管と合流孔との間には、逆止弁が結合され、
スプリット水制御バルブの内部のセラミック固定子と下端底蓋には、冷、熱水進入孔及び制御バーで切り換えることができる第一水排出孔と第二水排出孔が設けられ、その冷、熱進水孔は、弁溝の冷、熱水進入孔と対応し、第一水排出孔はセンサー水排出孔と対応し、第二水排出孔は、手動水排出孔に対応し、スプリット水制御バルブの下端底蓋は蛇口の弁溝内に嵌め込まれ、
以上の組合せにより、スプリット水制御バルブに設けられた制御バーで、手動水排出孔で排水するか、制御器で制御してセンサー水排出孔で排水するかを切り換えることができることを特徴とする、センサー排水と手動排水の切換え可能な混合水排出蛇口。
【請求項２】
前記蛇口にはセンサーが設けられ、使用者がセンサーに近づいた時、センサーが、使用者が近づいたことを感知して信号を制御器に送り、自動的に排水状態が切り替わることを特徴とする、請求項１に記載のセンサー排水と手動排水の切換え可能な混合水排出蛇口。
【考案の詳細な説明】
【技術分野】
【０００１】
本考案は、冷水と熱水を混ぜ合わせて温度調整ができるとともに、センサー排水と手動排水の切換えが可能な蛇口に関する。
【背景技術】
【０００２】
台湾実用新案第９３２１８３５１号に開示されている「センサー式蛇口の手動排水制御構造」は、使用者が、手動と自動排水を自由に切り換えることができる（ただし、電磁弁装置や光電管が故障した時には手動排水しか使用できない）。しかしながら、それは、冷水の排水調整制御機能しかもたず、冷水と、熱水を混合して排出する調整制御機能はない。そのため、製品の市場が、温帯、熱帯、亜熱帯の地域だけに限られることになり、寒帯地域の国まで広げることができないことが、従来のセンサー蛇口の手動排水制御装置の最大の欠点である。
【先行技術文献】
【特許文献】
【０００３】
【特許文献１】台湾実用新案第９３２１８３５１号明細書
【考案の概要】
【考案が解決しようとする課題】
【０００４】
本考案は、冷水と熱水を混ぜ合わせて温度調整ができるとともに、センサー排水と手動排水の切換えが可能な蛇口を提供することを目的とする。
【課題を解決するための手段】
【０００５】
上述の目的を達成するために、本考案は、蛇口と、制御器と、スプリット水制御バルブとからなる。蛇口の一側は弁溝を形成し、弁溝の底部には、センサー水排出孔、手動水排出孔、及び、二つの冷、熱水進入孔が下向きに穿設され、手動水排出孔は、縦向きの合流孔と三叉を形成するように連結され、蛇口上端には合流孔と連結される水排出管が結合される。制御器は、センサー導水管を介してセンサー水排出孔に連結されるとともに、センサー導水管を介して合流孔に連結され、、センサー導水管と合流孔の間には逆止弁が結合される。スプリット水制御バルブの下端底蓋には、冷、熱水孔、及び、制御バーで切り換えることができる第一水排出孔と第二水排出孔が設けられ、その冷、熱水進入孔は弁溝の冷、熱水進入孔に対応し、第一水排出孔は、ンサー水排出孔に対応し、第二水排出孔は手動水排出孔に対応し、スプリット水制御バルブの下端底蓋は蛇口の弁溝内に嵌め込まれる。
【図面の簡単な説明】
【０００６】
【図１】本考案の構造を示した分解斜視図である。
【図２】本考案を組み合わせた状態を示した断面図である。
【図３】本考案を切り換えて手動排水にした状態を示した平面図である。
【図４】本考案を切り換えてセンサー排水にした状態を示した平面図である。
【考案を実施するための形態】
【０００７】
図１を参照する。図１は、本考案の構造を示した分解斜視図である。本考案は、蛇口１０にスプリット水制御バルブ２０と制御器３０とを設けてなる。
【０００８】
蛇口１０の一側は、スプリット水制御バルブを取り付けられる弁溝１４を形成し、弁溝１４の底部には、センサー水排出孔１１と手動水排出孔１２と二つの冷、熱水進入孔１３が穿設され、手動水排出孔１２は縦向きの合流孔１５と三叉を形成するように連結され、冷、熱水進入孔１３の下端は、冷、熱水進入管１３１に連結される。図２に示すように、蛇口１０の上端には、合流孔１５と連結される水排出管１６が連結されるとともに、センサー１７が設けられ、使用者がセンサー１７に近づいた時、センサー１７は、使用者が近づいたことを感知して信号を制御器３０に送り、排水状態が自動的に切り替わる。
【０００９】
スプリット水制御バルブ２０は、下端の底蓋（及び内部のセラミック固定子）に、冷、熱水進入孔２３、及び、制御バー２４で切換え可能な第一水排出孔２１と第二水排出孔２２を備え、それにより、冷、熱水進入孔２３から進入した冷水と熱水を混合し、上端の制御バー２４を切り換えることで、第一水排出孔２１或いは第二水排出孔２２から水を排出することができる。
【００１０】
図２に示すように、制御器３０は、センサー導水管３１を介して蛇口１０のセンサー水排出孔１１に連結されるとともに、センサー導水管３２を介して蛇口１０の合流孔１５に連結され、センサー導水管３２と蛇口１０の合流孔１５の間には、逆止弁３３が結合される。制御器３０は、蛇口１０に結合されたセンサー１７による使用者が近づいたという信号を受信して、排水状態をきりかえ、それにより、自動制御センサー排水の水路が形成される（図２に図示）。  
【００１１】
図２に示すように、上述の構造を組み合わせると、スプリット水制御バルブ２０の下端の第一水排出孔２１は、蛇口１０のセンサー水排出孔１１に対応し、第二水排出孔２２は蛇口１０の手動水排出孔１２に対応し、冷、熱水進入孔２３は、冷、熱水進入孔１３に対応し、蛇口１０の弁溝１４内に嵌め込まれる。蛇口１０の上端には、合流孔１５と連結される水排出管１６が結合されて、それにより、センサー排水と手動排水の切換え可能な混合水排出蛇口が形成される。図３と図４に示すように、その上の制御バー２４に取っ手を結合し、蛇口１０に結合されたセンサー１７と制御器３０で感知して自動切り換え排水を行うこともできるし、一般的な手動制御で排水を行うこともできる。
【００１２】
図３は、本考案を切り換えて手動排水にした状態を示した平面図である。スプリット水制御バルブ２０の制御バー２４によって切り換えられて、冷、熱水管１３１から進入した冷水、熱水が手動水排出孔１２に対応する第二水排出孔２２から排水する時、手動水排出孔１２に連結された合流孔１５の下段と制御器３０のセンサー導水管３１の間に逆止弁３３が設けられるため、水は、矢印の方向から曲がって上に向かい蛇口１０の水排出管１６へと導かれることによって、手動排水が行われる。
【００１３】
図４は、本考案を切り換えてセンサー排水にした状態を示した平面図である。スプリット水制御バルブ２０の制御バー２４により切りかえられて、冷、熱水管１３１から進入した冷水、熱水が、センサー水排出孔１１に対応する第一水排出孔２１から排出された時、図２に示すように、まず、センサー導水管３１から制御器３０を通過して制御された後、さらに、センサー導水管３２から逆止弁３３を通過して、合流孔１５へと導かれ、最後に、蛇口１０の水排出管１６へと導かれることによって、自動センサー排水が行われる。
【００１４】
上述した本考案の「センサー排水と手動排水の切換え可能な混合水排出蛇口」は、冷水、熱水を混ぜ合わせる水温調整機能を備えるだけでなく、センサー排水と手動出水を切り換えることができるため、さらに柔軟性のある使用方法を提供することができる。
【符号の説明】
【００１５】
１０      蛇口                          
１１      センサー水排出孔
１２      手動水排出孔                  
１３      冷、熱水進入孔  
１３１    冷、熱水進入管            
１４      弁溝        
１５      合流孔                          
１６      水排出管
１７      センサー                          
２０      スプリット水制御閥    
２１      第一水排出孔                
２２      第二水排出孔
２３      冷、熱水進入孔            
２４      制御バー
３０      制御器                        
３１      センサー導水管
３２      センサー導水管                  
３３      逆止弁
【図１】
0003173805.tif 000003
【図２】
0003173805.tif 000004
【図３】
0003173805.tif 000005
【図４】
0003173805.tif 000006